(57)【特許請求の範囲】
【請求項１】
複数種類のインクカセット、及び複数種類の記録紙を、前記インクカセットと前記記録紙のそれぞれで選択的に使用可能な記録装置において、
前記記録紙のサイズ、インクカセットの種類のうち少なくとも一方を検知する検知手段と、
記録する画像を編集するための、それぞれ異なる編集処理に対応した複数の編集項目からなる編集用画面の表示を行う表示手段と、
前記検知手段の検知結果に基づいて、前記表示手段に表示する編集用画面を変更する制御手段と、を備え、
前記制御手段は、前記検知手段で検知した記録紙のサイズまたはインクカセットの種類で対応可能な編集の操作のみを許可するよう、前記複数の編集項目のうち対応可能な編集項目のみを選択可能とするとともに、選択可能な編集項目と選択できない編集項目とで表示を異ならせることを特徴とする記録装置。
【請求項２】
請求項１記載の記録装置において、前記制御手段は、前記検知手段により特定の記録紙サイズまたは特定のインクカセットの種類であることを検知した場合に記録紙をシール紙であると判定し、前記制御手段は、前記シール紙に対応した編集用画面を表示するよう変更することを特徴とする記録装置。
【請求項３】
複数種類のインクカセット、及び複数種類の記録紙を、前記インクカセットと前記記録紙のそれぞれで選択的に使用可能な記録装置であって、記録する画像を編集するためのそれぞれ異なる編集処理に対応した複数の編集項目からなる編集用画面の表示を行う表示手段を有する記録装置の制御方法において、
前記記録紙のサイズ、インクカセットの種類のうち少なくとも一方を検知する検知ステップと、
前記検知ステップでの検知結果に基づいて、前記表示手段に表示する編集用画面を変更する変更ステップと、からなり、
前記変更ステップは、前記検知手段で検知した記録紙のサイズまたはインクカセットの種類で対応可能な編集の操作のみを許可するよう、前記複数の編集項目のうち対応可能な編集項目のみを選択可能とするとともに、選択可能な編集項目と選択できない編集項目とで表示を異ならせることを特徴とする記録装置の制御方法。
【発明の詳細な説明】
【０００１】
【発明の属する技術分野】
本発明は、サイズの異なる記録紙や特殊な加工を施した記録紙に画像を記録する記録装置及び記録装置の制御方法に関するものである。
【０００２】
【従来の技術】
今日、ビデオカメラやデジタルカメラ等の普及に伴い、それらから入力されたカラー画像を記録するカラープリンタの重要が高まっている。前記カラープリンタの記録方式としては種々あるが、熱昇華性又は熱溶融性のインクを塗布したインクシートをサーマルヘッドによって選択的に加熱し、記録紙にインク像を転写記録する方式のカラープリンタが広く用いられている。特に昇華方式熱転写記録装置は、銀塩写真に匹敵する高画質なフルカラー画像が得られるため、高画質の記録装置、特にデジタルカメラ用のカラープリンタとして期待がもたれている。
【０００３】
通常、この種の記録装置は記録紙を給紙カセットに収納し、この給紙カセットから給紙ローラの回転により記録紙を一枚ずつ取り出し、これをサーマルヘッド部に搬送してサーマルヘッドをインクシート及び前記記録紙を介してプラテンに圧接させてサーマルヘッドを駆動することにより、インクシートのインクを記録紙に転写させて画像を記録している。
【０００４】
ところで、ユーザにとって記録したい画像に色々な編集，加工を施したい場合が多々ある。一例として、多数の同一・小画面を切り離し可能にする切り目の入った接着層入りの記録紙（以下シール紙という）がある。この場合は例えばＡ６サイズに１６〜３０の小画面が並んでいて、この大きさに画像を小さくしてその数だけ小画像を並べる必要がある。また予め用意された重畳用のカット画像を選択する場合もある。これらの編集，選択操作はユーザがキー等で指定して選択していた。しかしながら、給紙カセットにシール紙が入っているのを忘れて他の画像を記録したり、シール紙に通常の大きな画像を記録したり、間違った操作で標準紙に比して高価なシール紙を無駄にしてしまうケースも多い。
【０００５】
又、必要な記録紙の大きさも様々で、標準サイズの他にサービスサイズやＬサイズやパノラマサイズなど色々あった方が便利である反面、間違って大きい記録紙に小さな記録サイズで記録したり、記録紙より大きな記録サイズで記録してしまいプラテン等を汚してしまう危険性も増えてくる。
【０００６】
【発明が解決しようとする課題】
本発明は、前述のような状況のもとでなされたもので、画像の記録において、画像記録時の編集画面を適宜変更することで、セットされた記録紙に適合した画像を容易に記録できる記録装置，記録装置の制御方法を提供することを目的とするものである。
【０００７】
【課題を解決するための手段】
前記目的を達成するため、本発明では記録装置を次の（１），（２）のとおりに、記録装置の制御方法を次の（３）のとおりに構成する。
【０００８】
（１）複数種類のインクカセット、及び複数種類の記録紙を、前記インクカセットと前記記録紙のそれぞれで選択的に使用可能な記録装置において、
前記記録紙のサイズ、インクカセットの種類のうち少なくとも一方を検知する検知手段と、
記録する画像を編集するための、それぞれ異なる編集処理に対応した複数の編集項目からなる編集用画面の表示を行う表示手段と、
前記検知手段の検知結果に基づいて、前記表示手段に表示する編集用画面を変更する制御手段と、を備え、
前記制御手段は、前記検知手段で検知した記録紙のサイズまたはインクカセットの種類で対応可能な編集の操作のみを許可するよう、前記複数の編集項目のうち対応可能な編集項目のみを選択可能とするとともに、選択可能な編集項目と選択できない編集項目とで表示を異ならせる記録装置。
【００１０】
（２）前記（１）記載の記録装置において、前記制御手段は、前記検知手段により特定の記録紙サイズまたは特定のインクカセットの種類であることを検知した場合に記録紙をシール紙であると判定し、前記制御手段は、前記シール紙に対応した編集用画面を表示するよう変更する記録装置。
【００１１】
（３）複数種類のインクカセット、及び複数種類の記録紙を、前記インクカセットと前記記録紙のそれぞれで選択的に使用可能な記録装置であって、記録する画像を編集するためのそれぞれ異なる編集処理に対応した複数の編集項目からなる編集用画面の表示を行う表示手段を有する記録装置の制御方法において、
前記記録紙のサイズ、インクカセットの種類のうち少なくとも一方を検知する検知ステップと、
前記検知ステップでの検知結果に基づいて、前記表示手段に表示する編集用画面を変更する変更ステップと、からなり、
前記変更ステップは、前記検知手段で検知した記録紙のサイズまたはインクカセットの種類で対応可能な編集の操作のみを許可するよう、前記複数の編集項目のうち対応可能な編集項目のみを選択可能とするとともに、選択可能な編集項目と選択できない編集項目とで表示を異ならせる記録装置の制御方法。
【００１３】
【発明の実施の形態】
以下本発明の実施の形態を記録装置の実施例により詳しく説明する。なお、本発明は、記録装置の形に限らず、記録装置の制御方法の形で同様に実施することができる。
【００１４】
【実施例】
図１は実施例である“記録装置”の構成を示す断面図である。先ず記録装置の全体構成について説明すると、装置本体１に、記録紙Ｐを積載した用紙カセット２から給紙ローラ３で一枚ずつ分離給送すると共に、搬送ローラ対４で挟持搬送して記録部へ往復可能にしている。記録部に於いては、記録紙搬送経路を挟んでプラテンローラ５と、記録情報に応じて発熱するサーマルヘッド６が対向しており、インクカセット７に収納される形態の熱溶融性又は熱昇華性インクを塗布したインクシート８をサーマルヘッド６によって記録紙Ｐに押圧すると共に、サーマルヘッド６の発熱素子を選択的に加熱することにより該記録紙Ｐに画像を転写記録する。前記インクシート８は、記録紙Ｐと略等しいサイズでイエロ（Ｙ），マゼンタ（Ｍ），シアン（Ｃ）の各インク部を並べて設けたものであり、１色ずつ転写しては記録紙Ｐを記録開始位置Ｐ１に戻し、各色に対応したインク部による記録を順次行う。このように記録紙Ｐは搬送ローラ対４によって色の数だけ往復され、最後に排紙ローラ対９へ案内され、筐体外へ排出されて記録が終了する。カセット２内に収容された記録紙Ｐは、図２に示すように、標準のＡ６サイズ（ポストカードサイズ）２ａやその約半分の大きさであるＡ７サイズ２ｂや、図示していないが標準サイズに比べて２倍横長のパノラマサイズなどがある。
【００１５】
インクシートは、記録紙Ｐのサイズに合わせてインクシート８の各インク部の長さ方向のサイズを変えなくてはならない。要するに記録紙とインクシートを収容したインクカセットは基本的にペアで使用しなくてはならない。そのため、図１の記録装置には、インクカセット７の種類を識別するためのセンサ１０が配されている。記録紙Ｐの方は、本来ならば用紙サイズ毎に用紙カセットを用意して識別を容易にした方が確実であるが、コスト上、通常はガイド溝に沿って移動可能なガイド板１１を記録紙の種類によってユーザにセットしてもらう方が安価であるので使用されている。図１では、記録紙サイズの検出センサは省略してあるが、例えば、不図示のガイド溝に沿って移動するガイド板１１の端部の有無を検出することで、記録紙サイズの検出が可能である。この場合ユーザが半分の大きさのＡ７サイズの記録紙をセットしてもガイド板１１をセットし忘れると、Ａ６の標準サイズインクカセットがセットされていると問題となるが、記録紙ＰをＰ１の記録開始位置まで予め搬送する際、記録紙Ｐの先端検知センサ１４を通過する時間などをカウントして記録紙Ｐの長さを計測できるので、記録開始する前にインクカセットとのサイズ違いを判別して排紙してしまい誤記録の回避は可能である。
【００１６】
図３，図４は操作部の構成を示す図で、図３は操作キーの配置を示す図であり、図４は編集用画面を示す図である。対象とする入力画像を記録する際は図３に示す操作キーの内のプリントキー１を押し下げて実行するが、何らかの編集を施す際は、図３のメニューキー２を押し下げて、図４の４ａに示すメニュー画面を呼び出して図３の４種の矢印キー３で選択して実行キー４で決定して行う。図４のメニューの内容の内、１は“プリント枚数”の設定で［１］はデフォルト設定で１枚を示す。→キーで［Ｎ］を撰ぶと→キーで数字を２から進める事が出来、所望の数字で実行キー４を押し下げて決定出来る。２は“多数画面”の選択で、一枚の画面の中に２画面とか４画面とか９画面とかを選択記録出来る。図２の２ａの様なシール紙の場合は、１６画面を選択しなくてはならない。３は“嵌め込み用画像”でスーパインポーズ用に予め用意された嵌め込み用の画像であり、→キーで［する］を選択すると（図示しないが）、表示される何種類かの画像から１つを選択する事になり、シール紙用に用意される。４は“パノラマ画像”の選択で、図示していないが何枚かの連続して撮った画像をパノラマ合成を施してパノラマ用紙に記録する選択肢である。５は“タイトル文章”で、「メリークリスマス」とか、「謹賀新年」とかの特定の文章をスーパインポーズ用に予め用意する選択肢で、標準サイズのポストカード用に用意されている。６は“画質調整用”で［する］が選択されると、コントラストや色の濃さなどの調整が可能となる。以上が一例で、この他にもスーパインポーズ用に額縁や名所旧跡などや特殊効果など色々な選択肢が考えられる。
【００１７】
以上の動作を処理する制御系は、図５に示すように、インクカセット検知センサ５１、記録紙サイズ検知センサ５２、キー入力回路５３、それらの制御部５４、表示制御部５５、ビデオ出力回路部５６、そしてモニタ表示器５７、画像制御部５８、サーマルヘッド６０、及びその熱制御部５９を備えた構成となっている。
【００１８】
もしもプリンタに、接着剤が塗布されて一部を引き剥して他に貼れるよう構成された標準サイズのシール紙がセットされ、インクカセット７としてＡ６，シール紙用インクカセットがセットされていた場合は、記録紙サイズ検知センサ５２を用いて、Ａ６サイズであることを検知し、またインクカセット検知センサ５１を用いて、Ａ６，シール紙用インクカセットであることを検知して、この検知結果により、４ｂに図示する様に、枠で囲んだ選択肢のみが有効な項目で例えばその部分のみを実線とか反転文字で示し、他の部分は破線とかで示して選択不能にする。そして多数画面選択の部分は、１６画面に限定されているので自動的に１６にセットする。又次の項目の嵌め込み用画像は、スーパインポーズしないでそのまま記録する場合もあるが、スーパインポーズするケースが殆どと思われるので、実行ボタンを押す直前の画面とする。同時にＡ部には、図５に示すように、インクリボンマークを検知するタイプのインクカセット検知センサ５１からの識別信号により判断された情報である、シール紙を示す情報を表示するようにする。
【００１９】
プリンタに、Ａ６の普通紙がセットされ、インクカセット７として、Ａ６，普通紙用インクカセットがセットされている場合は、記録紙サイズ検知センサ５２によりＡ６サイズを検知し、インクカセット検知センサ５１により、Ａ６，普通紙用インクカセットを検知して、この検知結果により、編集画面に、プリント枚数，多数画面，タイトル文章，画質調整のメニューを表示し、“タイトル文章”が選択でき、“嵌め込み画像”が選択できないようにし、Ａ部に“フルサイズ”を表示する。
【００２０】
４ｃは、２ｂに示すハーフサイズの記録紙がセットされ、ハーフサイズ用のインクカセットがセットされている場合の編集画面を示す。この場合は、小さい記録紙なので多数画面とか、タイトル文字などは自動的に選択不能になるよう、限定された項目だけを表示し、Ａ部に“ハーフサイズ”を表示する。
【００２１】
以上の実施例は、Ａ６サイズとしてシール紙を主として使用するものを想定しており、シール紙を直接検知できないため、シール紙をセットしていても、インクカセットが普通紙用の場合は、シール紙用の編集画面が表示されないといった不都合がある。
【００２２】
そこで、シール紙のサイズを、たとえばＡ６のタテを少し長くするといった特殊サイズとして、記録紙サイズ検知センサにより、シール紙が直接検知できるようにし、記録紙サイズ検知センサでシール紙を検知し、インクカセット検知センサでシール紙用を検知した場合は、シール紙用の編集画面を全灯表示し、シール紙がセットされているが、シール紙用インクカセットがセットされていない場合、或はシール紙用インクカセットがセットされているが、シール紙がセットされていない場合は、シール紙用の編集画面を点滅表示し警告するようにしてもよい。この点滅する場合の組合せでは、最適の画像は得られないものの、まあまあの画像が得られるので、これを承知の上で、警告を無視し画像編集を行ってもよい。
【００２３】
また、簡易型として、記録紙サイズ検知センサの検知出力のみによって、編集画面を決めるようにしてもよい。この場合、Ａ６サイズを検知したときは、プリント枚数，多数画面，タイトル文章，画質調整のメニューを表示し、変形Ａ６サイズを検知したときは、前述のシール紙用のメニューを表示し、パノラマサイズを検知したときは、プリント枚数，パノラマ，タイトル文章，画質調整のメニューを表示し、Ａ７サイズを検知したときは、４ｃに示すメニュー、すなわちプリント枚数，画質調整のメニューを表示するようにする。
【００２４】
このようにして記録装置に入力された画像に関して、記録すべき用紙のサイズを手動で入力することなく、記録装置に装着されている記録紙のサイズ、またはインクカセットの種類に整合した画像形態に編集可能な項目だけを選択できるようにすることにより、記録紙のサイズや種類に整合した画像を容易に記録することができる。なお、本発明は種々の記録紙サイズやその用紙の特殊性に応じて変形実施可能であることは勿論である。
【００２５】
また、記録紙とインクカセットはそれぞれ対応し、両者を揃えた上で使用されるので、誤った組み合わせで使用されることを防止するために、記録紙の種類及びインクカセットサイズの両方を検知することが望ましいが、一方の検知結果に従って実行することも可能であることは言うまでもない。両方に対応した検知手段を設けることは装置のコストアップにつながるため、一方の検知手段により本発明を実施することにより、装置のコストを抑えることができる。
【００２６】
【発明の効果】
以上説明したように、本発明によれば、画像の記録において、画像記録時の編集画面を適宜変更することで、セットされた記録紙に適合した画像を容易に記録できる。
【図面の簡単な説明】
【図１】  実施例の構成を示す断面図
【図２】  記録紙サイズの説明図
【図３】  操作キーの配置を示す図
【図４】  編集用画面を示す図
【図５】  制御系の構成を示す図
【符号の説明】
５１  インクカセット検知センサ
５２  記録紙サイズ検知センサ
５４  制御部
【図１】
0003710291.tif 000002
【図２】
0003710291.tif 000003
【図３】
0003710291.tif 000004
【図４】
0003710291.tif 000005
【図５】
0003710291.tif 000006